(57)【特許請求の範囲】
【請求項１】
内燃機関の吸気通路に設けられたスロットルバルブの開度を、スロットルモータを駆動源として、目標スロットル開度に制御する内燃機関の制御装置において、
内燃機関の運転中に所定のスロットル氷結防止制御実行条件が成立したときにスロットルの氷結を防止させるスロットル氷結防止制御部と、
所定のスロットル氷結除去制御実行条件が成立したときにスロットルの氷結を除去させるスロットル氷結除去制御部と、を備え、
前記スロットル氷結除去制御部は、吸気温、スロットルバルブ上流湿度、目標スロットル開度と実開度の差分の継続時間に基づいて判定を行う、前記スロットルバルブの氷結除去制御実行条件を有することを特徴とする内燃機関の制御装置。
【請求項２】
前記スロットル氷結防止制御部は、吸気温、スロットルバルブ上流湿度に基づいて前記スロットルバルブの氷結防止制御実行条件を有することを特徴とする請求項１に記載の内燃機関の制御装置。
【請求項３】
前記スロットル氷結防止制御実行条件は、吸気温が所定温度以下のとき且つスロットルバルブ上流湿度が所定湿度以上の時に成立することを特徴とする請求項２に記載の内燃機関の制御装置。
【請求項４】
前記スロットル氷結防止制御部は、前記スロットルモータを正転・逆転することにより当該スロットルモータの発熱量を増大させることを特徴とする請求項２に記載の内燃機関の制御装置。
【請求項５】
前記スロットル氷結防止制御部は、エンジン出力に影響がない程度のスロットル開度で前記スロットルモータの正転・逆転を行うことを特徴とする請求項４に記載の内燃機関の制御装置。
【請求項６】
前記スロットル氷結防止制御部は、エンジン出力に影響がない程度の周期で前記スロットルモータの正転・逆転を行うことを特徴とする請求項４に記載の内燃機関の制御装置。
【請求項７】
前記スロットル氷結防止制御部は、アイドルストップ実行中に氷結防止を行うことを特徴とする請求項２に記載の内燃機関の制御装置。
【請求項８】
前記スロットル氷結防止制御部は、アイドルストップ実行中にスロットル開度を全開にした状態を維持することで前記スロットルモータの発熱量を増大させることを特徴とする請求項７に記載の内燃機関の制御装置。
【請求項９】
前記スロットル氷結除去制御実行条件は、吸気温が所定温度以下のとき且つスロットルバルブ上流湿度が所定湿度以上の時且つ目標スロットル開度と実開度の差分が所定以上あり且つその所定差分が所定時間以上継続した場合に成立することを特徴とする請求項１に記載の内燃機関の制御装置。
【請求項１０】
前記スロットル氷結除去制御部は、スロットルモータが発生しうる最大のトルクで前記スロットルモータを正転・逆転し、且つスロットルモータの発熱によって氷結を除去することを特徴とする請求項１に記載の内燃機関の制御装置。
【請求項１１】
前記スロットル氷結除去制御部は、アイドルストップ実行中に氷結除去を行うことを特徴とする請求項１に記載の内燃機関の制御装置。
【請求項１２】
前記スロットル氷結防止制御部は、アイドルストップ実行中に目標開度と実開度の中間に位置する開度を氷結除去のための目標開度として前記目標開度に達するようにスロットルバルブを押し付け、前記スロットルモータの発熱量を増大させることを特徴とする請求項１に記載の内燃機関の制御装置。
【請求項１３】
前記スロットル氷結防止制御部と前記スロットル氷結除去制御部を切り替えて制御することを特徴とする請求項１又は請求項２に記載の内燃機関の制御装置。
【請求項１４】
前記スロットル氷結防止制御部と前記スロットル氷結除去制御部は、温水パイプに流れる冷却水の循環量を増大させることを特徴とする請求項１又は請求項２に記載の内燃機関の制御装置。
【請求項１５】
前記スロットルボディはスロットルバルブを駆動させるための前記スロットルモータと当該スロットルモータに接するスロットルボディが高熱伝導率で構成されていることを特徴とする請求項１の内燃機関の制御装置。
【発明の詳細な説明】
【技術分野】
【０００１】
本発明は、内燃機関の制御装置に係り、特に内燃機関に用いられるスロットルバルブの氷結防止及び氷結除去のための制御方法に関するものである。
【背景技術】
【０００２】
内燃機関であるエンジンでは通常、吸気管にスロットルボディが設けられ、アクセルペダルの踏み込み量に応じてスロットバルブを開閉駆動し、スロットル開度を制御している。
【０００３】
車両によっては、スロットル開度がスロットル開度センサによって検出され、エンジンの始動中の、スロットルバルブを開閉駆動する駆動モータの制御量はエンジンコントロールユニット（以下、ＥＣＵ）から伝達され、スロットル開度センサによって検出した、実スロットル開度がアクセル操作量等に応じて設定された目標スロットル開度に一致させるように制御している場合もある。
【０００４】
ところで、極低温及び高湿度の環境下においては、内燃機関を駆動させている間であっても、定常走行（スロットル開度がほぼ一定の状態）を続けた場合や暖機運転時などにおいて、吸入空気中の水分により、スロットルバルブおよびその周辺部（スロットルボディ）が凍結することがあり、場合によっては、スロットルバルブの開閉動作が困難となる場合がある。
【０００５】
従来、スロットルバルブの氷結を防止する技術としてスロットルバルブ周辺部を温められた冷却水を流す温水パイプを設け、この温水パイプ内に温水を流すことによってスロットボディを暖める方法が採られてきた。
【０００６】
そこで、特許文献１（特公平４−４４５２号公報）では、電子スロットルシステムにおいて、エンジン運転中にスロットルバルブの氷結が発生しやすい状態になっていることを検出したときに、エンジン回転速度を変動させない範囲の微小開度でスロットルバルブを振動させることで、スロットルバルブ周辺の氷結を防止するようにしたものがある。
【０００７】
特許文献２（特開２００３−２６２１７８号公報）では、所定のスロットル氷結防止制御実行条件（吸気温が所定温度以下であること等）が成立したときに、アクセル操作量等に応じて設定した基本目標スロットル開度を中心とする開度範囲で最終目標スロットル開度を周期的に変化させて、スロットルバルブを強制的に開閉駆動することでスロットルバルブの氷結を防止する。更に、スロットルバルブの強制駆動によるエンジンの出力変動を打ち消すように点火時期補正量と吸気バルブタイミング補正量を算出して、点火時期と吸気バルブタイミングを補正し、エンジンの出力変動を防止する。また、スロットルバルブの強制駆動振幅はエンジン運転状態に応じてスロットルバルブの氷結防止効果が得られるように設定している。
【０００８】
特許文献３（特開２００９−１２１２９８号公報）では、アクセルペダルの操作に連動して、吸気通路に設けられたスロットルバルブの開度が操作される内燃機関において、環境温度が所定温度以下であり、かつ、スロットルバルブの開度が所定走行時間または所定走行距離の間で一定の開度範囲内にある場合に、一定の走行時間または一定の走行距離の間、内燃機関の点火時期を遅角させるなどの車速を低下させる制御を実行する。
【０００９】
特許文献４（特開２００８−１３８５３０号公報）では、電動モータは、金属ブロックを介して、スロットルボディのスロットルボア壁面に熱伝達可能に設置されており、エンジンの冷間始動時に、スロットルバルブに氷結が生じていると判断された場合、スロットルバルブをその開弁作動方向に作動させるように電動モータのコイルにモータ印加電圧を印加して電動モータのロータに駆動力を発生させる。このとき、電動モータのコイルにモータ駆動電流が流れるため、電動モータのコイルにジュール熱が発生し、この電動モータのジュール熱によってスロットルボディのスロットルボア壁面が効率良く加熱され、これにより、スロットルバルブとスロットルボディとの間に跨がって結氷していた氷塊が溶けるようにしている。
【先行技術文献】
【特許文献】
【００１０】
【特許文献１】特公平４−４４５２号公報
【特許文献２】特開２００３−２６２１７８号公報
【特許文献３】特開２００９−１２１２９８号公報
【特許文献４】特開２００８−１３８５３０号公報
【発明の概要】
【発明が解決しようとする課題】
【００１１】
上記公報の技術では、スロットルバルブの振動によるエンジン回転速度の変動を防止するために、スロットルバルブの振動振幅を微小量に制限するようにしている。
【００１２】
しかし、スロットルバルブの振動振幅を微小量に制限すれば、スロットルバルブの振動による氷結防止効果も制限されてしまうため、極低温環境下での高速走行時のように、低温空気が多量に吸入されて氷結が急速に進行しやすい状況下では、上記公報のように、スロットルバルブを微小振動させても、スロットルバルブの氷結を十分に防止することができず、スロットルバルブが氷結して動かなくなってしまうおそれがある。かといって、スロットルバルブの氷結防止効果を高めるためにスロットルバルブの振動振幅を大きくすれば、エンジン回転速度が変動してドライバビリティに悪影響を及ぼしてしまう。
【００１３】
特許文献２に開示された内燃機関の制御装置では、スロットル氷結防止制御手段が、内燃機関の運転状態に基づいてスロットルバルブの強制駆動条件を設定するとして、スロットル氷結防止制御実行条件に、エンジン回転速度とエンジン負荷がそれぞれ所定値以上であることという条件が入っている。
【００１４】
これは、低回転速度領域や低負荷領域では、吸入空気量が少ないため、スロットルバルブの強制駆動が吸入空気量に与える影響が大きく、スロットルバルブの強制駆動によって発生するエンジンの出力変動が大きくなる恐れがあるためであり、点火時期の補正や吸気バルブのバルブタイミング進角値の補正では、スロットルバルブの強制駆動によって発生するエンジンの出力変動を吸収しきれなくなる恐れがあるためである。
【００１５】
このような理由から、エンジン回転速度とエンジン負荷がそれぞれ所定値以上であることをスロットル凍結防止制御実行条件の１つとし、低回転速度領域や低負荷領域では、スロットル凍結防止制御を禁止して、スロットルバルブの強制駆動を行わないようにしている。
【００１６】
また、低回転速度領域や低負荷領域は、吸入空気量が少なく、スロットルバルブの冷却度合いが小さいため、エンジンからの受熱によりスロットルバルブの温度が比較的高くなることにより、スロットルバルブの凍結が比較的発生しにくいとしているが、エンジンの温度が十分に上昇していない状況の下では、低回転速度領域や低負荷領域でもスロットルバルブの氷結が発生する可能性がある。
【００１７】
したがって、特許文献２に記載の制御装置ならびに制御方法では、低回転速度領域や低負荷領域で走行する車両でのスロットルバルブの凍結を防止することはできない。また、高回転速度領域においても、点火時期の補正や吸気バルブのバルブタイミング進角値の過剰補正により、エンジンの出力変動を吸収しきれなくてハンチングを発生させる恐れがあり、車両の走行性を損なわせることになる。
【００１８】
さらにスロットル氷結防止制御実行条件として、吸気温が所定値以下であることという条件は入っているが、氷結が発生する要因として湿度に関しての言及がされていない。
【００１９】
特許文献３に開示された内燃機関の制御装置では、スロットル氷結防止制御手段として、スロットルバルブのスロットルレバーとアクセルペダルとの間がワイヤで連結されている車両において、スロットルバルブの氷結を防止ないしは解除するにようしている。
【００２０】
これは、スロットルバルブのスロットルレバーとアクセルペダルとの間がワイヤで連結されていない車両に置いては、低回転回転速度領域や低負荷領域ではスロットルバルブの氷結の防止をすることはできない。また、スロットル開度が下限値未満である場合、アクセルペダルがほとんど踏み込まれていない状態であり、車両が走行していないか、あるいは走行しだして間もない状態であると考えられるため氷結防止制御を実行しないことになる。これは、一定期間エンジンブレーキを効かせた状態での走行においては、氷結防止制御が実行されないことになる。
【００２１】
特許文献４に開示された内燃機関の制御装置では、電動モータのジュール熱によってスロットルボディのスロットルボア壁面が効率良く加熱させるために、歯車減速機構によって構成されておりトルクを増大させるようにしている。これは、歯車減速機構が加えられたことによる部品点数の増加、また現状のスロットルボディに対して変更が加えられることになる。
【００２２】
本発明はこのような事情を考慮してなされたものであり、従ってその目的は、運転速度領域に限定されることなく、且つ、エンジン停止中(アイドルストップ中)にもスロットルバルブの氷結防止効果及び氷結除去効果を高めることができる内燃機関の制御装置を提供することにある。
【課題を解決するための手段】
【００２３】
上記課題を解決することを目的として、請求項１に係る内燃機関の制御装置は、内燃機関の運転状態に応じて所定のスロットル氷結防止制御実行条件が成立した時にスロットルの氷結防止を行うための制御手段と所定のスロットル氷結除去制御実行条件が成立した時にスロットルの氷結除去を行うための制御手段を備え、スロットル氷結除去制御部は、吸気温、スロットルバルブ上流湿度、目標スロットル開度と実開度の差分の継続時間に基づいて判定を行う、スロットルバルブの氷結除去制御実行条件を有するものである。
【００２４】
上記構成によれば、スロットルの氷結防止手段とスロットルの氷結除去手段を備えることにより、氷結によるドライバビリティへの悪影響を防ぎつつ、氷結の防止と氷結の除去が行える。
【００２５】
上記スロットルの氷結防止を行うための制御を達成するために、請求項２に記載の発明は、吸気温とスロットル上流湿度に基づいてスロットルバルブの氷結防止制御を実施する。
【００２６】
更に、請求項３のように、氷結が発生する可能性があるかを吸気温が所定温度以下且つ、スロットルバルブ上流湿度が所定湿度以上とすることで容易に判断してスロットルバルブの氷結防止制御を実施することができる。
【００２７】
また、請求項４のように、氷結が発生する可能性がある場合、スロットルバルブを開閉駆動させるためのスロットルモータを正転・逆転することによりスロットルモータの発熱量を増大させ、その発熱量を利用してスロットルバルブの氷結防止をより効果的に行うことができる。
【００２８】
更に、請求項５のように、スロットルモータの正転・逆転をエンジン出力に影響が無い程度のスロットル開度とし、エンジン出力に影響が無いようにすることでドライバビリティの低下を防ぐことができる。
【００２９】
更に、請求項６のように、スロットルモータの正転・逆転をエンジン出力に影響が無い程度にスロットル開度を駆動させるが、さらにエンジン出力に影響が無い程度の周期で駆動させることでよりドライバビリティ低下を防ぐことができる。
【００３０】
また、請求項７のように、スロットルの氷結はエンジン出力停止中にも発生しうるため、エンジン出力停止中のアイドルストップ実行中にスロットルの氷結防止制御実施することで、スロットルの氷結を未然に防ぐことが可能となる。
【００３１】
また、請求項８のように、アイドルストップ実行中はエンジン出力が停止しているため、スロットル開度を全開にすることが可能である。そのため、スロットル開度を全開にすることによりスロットルモータの発熱量を増大させスロットルの氷結を防止することができる。
【００３３】
さらに、請求項９のように、氷結が固着しているかを吸気温が所定温度以下のとき且つスロットルバルブ上流湿度が所定湿度以上の時且つ目標スロットル開度と実開度の差分が所定時間以上継続した場合に成立ことで容易に判断してスロットルバルブの氷結除去制御を実施することができる。
【００３４】
また、請求項１０のように、氷結が固着している場合、スロットルモータが発生しうる最大のトルクでスロットルモータを正転・逆転駆動し、且つスロットルモータの発熱によって素早く氷結を除去することができる。
【００３５】
また、請求項１１のように、スロットルの氷結固着はエンジン動作中以外にも発生しうるため、エンジン出力停止中のアイドルストップ実行中にスロットルの氷結除去制御実施することで、スロットルの氷結除去を行うことが可能となる。
【００３６】
アイドルストップ実行中はエンジン出力が停止しているため、スロットルモータの正転・逆転による氷結除去手段はスロットルバルブ駆動による騒音等によりドライバビリティに影響を及ぼす。そのため、請求項１２のように、アイドルストップ実行中は目標開度と実開度の中間に位置する開度を氷結除去のための目標開度として上記目標開度に達するようにスロットルバルブを氷結部に押し付けスロットルモータ発熱量を増大させスロットルの氷結除去を行う。
【００３７】
また、スロットルの氷結は重大なインシデントとなるためスロットルの氷結自体を未然に防ぐことと氷結が発生した場合はそれを除去することが重要である。そのため氷結防止手段と氷結除去手段を切り替えることが望ましい。そのため、請求項１３のように、上記
スロットル氷結防止制御手段と上記スロットル氷結除去制御手段は切り替えて行うことが可能である。
【００３８】
また、より効果的に上記目的を達成するために、請求項１４のように、温水パイプに流れる冷却水の循環量を増大させることができる。
【００３９】
また、スロットルモータの発熱を効果的に利用するため、請求項１５のように、スロッ
トルモータに接するスロットルボディが高熱伝導率で構成されている。
【発明の効果】
【００４０】
本発明によれば、ドライバビリティに悪影響を及ぼすことなく氷結を防止・除去できる。
上記した以外の課題、構成及び効果は、以下の実施形態の説明により明らかにされる。
【図面の簡単な説明】
【００４１】
【図１】ガソリンエンジンシステムを示す概略図である。
【図２】内燃機関のスロットルボディを示す概略図である。
【図３】スロットル氷結防止制御とスロットル氷結除去制御夫々の制御に遷移する前を示すフローチャートである。
【図４】スロットル氷結防止制御を示すフローチャートである。
【図５】スロットル氷結除去制御を示すフローチャートである。
【図６】通常走行中のスロットル氷結防止制御の挙動とスロットル氷結除去制御の挙動を示すタイミングチャートである。
【図７】アイドルストップ中のスロットル氷結防止制御の挙動とスロットル氷結除去制御の挙動を示すタイミングチャートである。
【発明を実施するための形態】
【００４２】
以下、実施例は図面を用いて説明する。
【実施例１】
【００４３】
図１は、内燃機関のスロットルバルブ氷結防止及びスロットルバルブ氷結除去を行うための装置の構成図である。
【００４４】
エンジン制御装置（以下、ＥＣＵ）１には、ドライバのアクセル踏みこみ量を計測するためのアクセルポジションセンサ２と、吸気温度を計測するための吸気温センサ３と、スロットルバルブ上流側の湿度を計測するための湿度センサ４と、吸入空気量を計測するためのエアフロセンサ５と、クランクシャフトのパルサローター６に取付けられた突起部に対向させて取付けられたクランクセンサ７と、を有し、ＥＣＵ１はこれらのセンサから出力された値を受け取る。
【００４５】
ＥＣＵ１は、これらセンサから受け取った値を元にスロットルボディ８のスロットル開度を目標開度となるようにスロットルモータ２０（図２参照）を駆動し、吸入空気量を制御する。またＥＣＵ１は、所定のエンジン出力を得るよう、点火エネルギーを供給する点火プラグ９と燃料を噴射する燃料噴射装置（以下，インジェクタ）１０を制御する。
【００４６】
また、冷却水の水温を計測するための水温センサ１１とスロットルボディ８に併設されるように温水通路１２を有する。
【００４７】
図２は、スロットルモータ２０とスロットルモータ２０に連結されたスロットルバルブ２３を含む内燃機関のスロットルボディ２４の外観図である。
【００４８】
スロットルモータ２０はＥＣＵ１からの指令により駆動される。スロットルモータ２０が駆動するとスロットルモータ軸２１に取り付けられたギヤにより駆動力はスロットルバルブ軸２２に伝達される。スロットルバルブ軸２２に取り付けられたスロットルバルブ２３が伝達された駆動力により開閉し吸入空気量が増減される。
【００４９】
また、スロットルモータ２０が駆動した際の発熱をスロットルボディ２４に効果的に伝熱するための高伝熱部材２５を有する。また、内燃機関のウォータジャケット内を流通して温められた温水を流す温水通路２６を設け、この温水通路内に温水を流す量を温水量制御バルブ２７で制御することによってスロットボディを暖める。
【００５０】
図３は、スロットル氷結防止及びスロットル氷結除去におけるフローチャートである。これはイグニッションスイッチ(図示せず)のオン後に所定周期で実行される。本プログラムが起動されると、まず、Ｓ１００で、吸気管内に配置された吸気温センサ３からの温度とスロットル上流に配置された湿度センサ４から湿度を取得し、Ｓ１０１へ移行する。
【００５１】
Ｓ１０１では、スロットル氷結防止制御またはスロットル氷結除去制御を実行するか否かの判定である。Ｓ１００で取得した吸気温が所定以下であるかの判定とＳ１００で取得した湿度が所定以上であるかの判定を行う。この条件がすべて満たす場合は、Ｓ１０２へ移行する。
【００５２】
Ｓ１０２では、温水量を増量するか否かの判定である。水温が、前記Ｓ１００で取得した吸気温と比較し吸気温よりも高い場合は、Ｓ１０３へ移行する。
【００５３】
前記Ｓ１００で取得した吸気温よりも水温が低い場合は、Ｓ１０４へ移行する。
【００５４】
Ｓ１０３では、より効果的にスロットルの氷結防止及びスロットルの氷結除去を行うために温水量を温水量制御バルブ２７で制御し増量する。
【００５５】
Ｓ１０４では、スロットルの氷結防止制御とスロットルの氷結除去制御のどちらを実施するかの判定である。
【００５６】
一定時間以上目標スロットル開度と現在のスロットル開度（以下、実スロットル開度）を比較し、そのスロットル開度の差分が所定以上であるか否かを判定する。
【００５７】
差分が所定未満の場合は、スロットル氷結防止制御である、Ｓ２０１へ遷移する。差分が所定以上である場合は、スロットル氷結除去制御であるＳ３０１へ遷移する。
【００５８】
図４は、スロットル氷結防止制御のフローチャートである。
【００５９】
Ｓ２０１では現在の運転状態を取得する。ここでいう運転状態とは、駐停車や信号待ちなどの間にエンジンを停止させるアイドルストップであるか否かである。運転状態を取得した後、アイドルストップ中であるかの判定を行うためにＳ２０２へ遷移する。
【００６０】
Ｓ２０２では、エンジンの回転数等によりアイドルストップ実施中か否か判定する。アイドルストップ中であればＳ２０４へ遷移し、そうでない場合は、Ｓ２０３へ遷移する。
【００６１】
Ｓ２０３では、エンジン回転中におけるスロットル氷結防止制御手段を実施し氷結が発生する前に防止する処理である。その後、Ｓ２０５へ遷移する。
【００６２】
Ｓ２０４では、アイドルストップ実行中におけるスロットル氷結防止制御手段を実施し氷結が発生する前に防止する処理である。その後、Ｓ２０５へ遷移する。
【００６３】
Ｓ２０５では、スロットル氷結防止制御が所定時間実行されたか否かの判定である。
【００６４】
所定時間未満の場合、運転状態の判別から行うためＳ２０１へ遷移する。所定時間を超過した場合は、スロットル氷結防止制御を終了する。
【００６５】
図５は、スロットル氷結除去制御のフローチャートである。
【００６６】
Ｓ３０１では現在の運転状態を取得する。ここでいう運転状態とは、駐停車や信号待ちなどの間にエンジンを停止させるアイドルストップであるか否かである。運転状態を取得した後、アイドルストップ中であるかの判定を行うためにＳ３０２へ遷移する。
【００６７】
Ｓ３０２では、エンジンの回転数等によりアイドルストップ実施中か否か判定する。アイドルストップ中であればＳ３０４へ遷移し、そうでない場合は、Ｓ３０３へ遷移する。
【００６８】
Ｓ３０３では、エンジン回転中におけるスロットル氷結除去制御手段を実施し氷結が発生する前に防止する処理である。その後、Ｓ３０５へ遷移する。
【００６９】
Ｓ３０４では、アイドルストップ実行中におけるスロットル氷結除去制御手段を実施し氷結が発生する前に防止する処理である。その後、Ｓ３０５へ遷移する。
【００７０】
Ｓ３０５では、スロットル氷結除去制御が所定時間実行されたか否かの判定である。
【００７１】
所定時間未満の場合、運転状態の判別から行うためＳ３０１へ遷移する。所定時間を超過した場合は、スロットル氷結除去制御を終了する。
【００７２】
図６は、通常運転時のスロットルの氷結防止制御とスロットルの氷結除去制御のタイミングチャートである。
【００７３】
吸気温とスロットル上流の湿度によってスロットル氷結防止制御実行条件が成立した時、スロットルモータを正転・逆転させるものである。
【００７４】
この時、スロットル実開度はエンジン出力に影響が出ない程度のスロットル開度と周期で実施するため微小振動となる。
【００７５】
また、このスロットルモータの正転・逆転によりモータの発熱量が増加することにより、図２に示すスロットルボディ２４に伝熱するための部材２５へスロットルモータの発熱が伝わり、より効果的にスロットルの氷結防止が実施できる。
【００７６】
スロットルの目標開度とスロットルの実開度の差分が所定の閾値を超え、それが所定時間以上継続するとスロットルの氷結除去制御実行条件が成立する。
【００７７】
このスロットルの氷結除去制御実行条件が成立した時は、スロットルが固着していることになり、スロットルの実開度を目標開度へと移行するように制御しなければならない。
【００７８】
そのため、スロットルモータが出力できる最大の電流値でもってスロットルバルブを開閉させることでスロットルの氷結を除去しようとしている。
【００７９】
また、この際もスロットルモータの発熱がより効果的に伝熱し、スロットル氷結除去が実施できる。スロットルの氷結除去の完了判定は、スロットルバルブが所定以上動作可能となった場合に成立することになる。
【００８０】
また、氷結除去後は、スロットル実開度をスロットル目標開度へ移行するように制御している。
【００８１】
図７は、アイドルストップ実行中のスロットル氷結防止制御とスロットル氷結除去制御のタイミングチャートである。
【００８２】
吸気温とスロットル上流の湿度によってスロットル氷結防止制御実行条件が成立し、アイドルストップ実行フラグが成立した時、スロットルバルブを全開状態に維持するものである。
【００８３】
この時、スロットルモータが出力できる最大の電流値でもってスロットルバルブを全開に維持することでスロットルの氷結を防止する。
【００８４】
全開状態を維持することにより、モータの発熱量が増加し、その発熱がスロットルボディへ伝熱することによりスロットル氷結防止が実施できる。
【００８５】
また、アイドルストップ実行フラグが不成立となった時は、スロットルの実開度を目標開度へと移行するように制御している。
【００８６】
スロットルの目標開度とスロットルの実開度の差分が所定の閾値を超え、それが所定時間以上継続するとスロットルの氷結除去制御実行条件が成立する。
【００８７】
このスロットルの氷結除去制御実行条件が成立した時は、スロットルが固着していることになり、スロットルの実開度を目標開度へと移行しなければならない。
【００８８】
この時、アイドルストップ実行フラグが成立した時は、スロットルバルブを開閉させてスロットルの氷結を除去するのではなく、以下の手段となる。
【００８９】
まず、アイドルストップ実行中はエンジンが停止していることから、スロットルバルブを開閉させるとその駆動音がドライバに伝わり、ドライバビリティに悪影響となる。
【００９０】
そのため、氷結除去用目標開度を設定し氷結除去用目標開度に向けてスロットルバルブ押し付けて氷結を除去するものである。
【００９１】
この氷結除去用目標開度は例えば、実スロットル開度に応じて決定されてもよい。
例えば全閉付近での固着であった場合は、全開スロットル位置を目標開度としてもよい。
【００９２】
この時もまた、この際もスロットルモータの発熱がより効果的に伝熱し、スロットル氷結除去が実施できる。
【００９３】
この時のスロットルの氷結除去完了も、スロットルバルブが所定以上動作可能となった場合に成立することになる。
【符号の説明】
【００９４】
１…エンジン制御装置又はＥＣＵ、２…アクセルポジションセンサ、３…吸気温センサ、４…湿度センサ、５…エアフロセンサ、６…パルサローター、７…クランクセンサ、８…スロットルボディ、９…点火プラグ、１０…燃料噴射装置又はインジェクタ、１１…水温センサ、１２…温水通路、２０…スロットルモータ、２１…スロットルモータ軸、２２…スロットルバルブ軸、２３…スロットルバルブ、２４…スロットルボディ、２５…高伝熱部材、２６…温水通路、２７…温水量制御バルブ
【図１】
0006419668.tif 000002
【図２】
0006419668.tif 000003
【図３】
0006419668.tif 000004
【図４】
0006419668.tif 000005
【図５】
0006419668.tif 000006
【図６】
0006419668.tif 000007
【図７】
0006419668.tif 000008